(57)【要約】【課題】上下方向に長い制御ユニットを組み立てる際の作業者の肉体的な負担を軽減できるエレベータ制御装置の組立作業台を提供する。【解決手段】本発明の組立作業台は、上下方向の寸法が大きい制御ユニットを水平支軸の回りに揺動自在に支持するとともに、所定の揺動角度で固定できるようにしたものである。これにより、制御ユニットのうち上下方向のどの部分に制御用品を組み付けるかに応じて、制御ユニットを垂直、傾斜、水平の各揺動位置とすることができるから、作業者は立った状態で組み付け作業を容易に行うことができ、その肉体的な負担を軽減することができる。【選択図】図８
2011148612.tif 000002
【特許請求の範囲】
【請求項１】
エレベータの制御装置を組み立てる際に用いる作業台であって、
作業床上に設置される本体部分と、
前記制御装置に組み込む制御ユニットを支持するユニット支持体と、
このユニット支持体を水平支軸の回りに揺動自在に支持する、前記本体部分に設けられた支持手段と、
前記本体部分と前記支持手段との間に介装されて前記支持手段を所定の揺動位置に固定する固定手段と、
を備えることを特徴とするエレベータ制御装置の組立作業台。
【請求項２】
前記本体部分、前記支持手段、および前記固定手段は、市販されている硬質樹脂製のパイプおよび継手を組み合わせて製造したものであることを特徴とする請求項１に記載したエレベータ制御装置の組立作業台。
【請求項３】
前記本体部分の下部に複数の走行車輪が設けられていることを特徴とする請求項１または２に記載したエレベータ制御装置の組立作業台。
【請求項４】
前記固定手段は、前記本体部分にその基端が揺動自在に支持されるとともに、前記支持手段に対して係脱自在に係合する継手をその先端に有する固定腕であることを特徴とする請求項１乃至３のいずれかに記載したエレベータ制御装置の組立作業台。
【請求項５】
前記固定腕は、伸縮してその長さを自在に変更できる構造であることを特徴とする請求項４に記載したエレベータ制御装置の組立作業台。
【請求項６】
前記本体部分上に収納された状態と、前記本体部分の側方に展開した状態との間で揺動自在な、部品及び工具を載置可能な棚をさらに備えることを特徴とする請求項１乃至５のいずれかに記載したエレベータ制御装置の組立作業台。
【発明の詳細な説明】
【技術分野】
【０００１】
本発明は、エレベータの制御装置を組み立てる際に用いる作業台に関し、より詳しくは、上下方向に長い制御ユニットを組み立てる際に作業者の肉体的な負担を軽減する技術に関する。
【背景技術】
【０００２】
従来、エレベータの機械室あるいは昇降路の頂部には、エレベータの運転を制御する制御装置が設置されている。
この制御装置は、一般的に、鋼板製の筐体の内部に制御ユニットや、ブレーカ、コンダクタ、リレー他、各種の制御用品を取り付けたユニットを組み込んだものとなっている。
【０００３】
ところで、このような制御装置の筐体に収納するユニットには、上下方向の寸法が大きいものがある。
このとき、下記特許文献１に記載されているように、ユニットを立設した状態で制御用品の組付作業を行うと、ユニットのうち上下方向の中央部より下側の部分に制御用品を組み付ける際に、作業者は中腰となったりしゃがみ込んだりする姿勢を取らざるを得ず、その肉体的な負担が大きいものとなっていた。
【０００４】
そこで、下記特許文献２に記載されているように、制御装置の組立作業における作業員の肉体的な負担を軽減するために様々な改善が提案されている。
【先行技術文献】
【特許文献】
【０００５】
【特許文献１】特開平７−１４４８５６号公報
【特許文献２】特開２００７−５３８３７号公報
【発明の概要】
【発明が解決しようとする課題】
【０００６】
しかしながら、上下方向の寸法が大きいユニットに制御用品を組み付ける際における、作業者の肉体的な負担を軽減する具体的な改善策は、今まで提案されて来なかった。
【０００７】
そこで本発明の目的は、上述した従来技術が有する問題点を解消し、上下方向に長い制御ユニットを組み立てる際の作業者の肉体的な負担を軽減できるエレベータ制御装置の組立作業台を提供することにある。
【課題を解決するための手段】
【０００８】
上記の課題を解決する本発明は、
エレベータの制御装置を組み立てる際に用いる作業台であって、
作業床上に設置される本体部分と、
前記制御装置に組み込む制御ユニットを支持するユニット支持体と、
このユニット支持体を水平支軸の回りに揺動自在に支持する、前記本体部分に設けられた支持手段と、
前記本体部分と前記支持手段との間に介装されて前記支持手段を所定の揺動位置に固定する固定手段と、を備えることを特徴とする。
【０００９】
すなわち、本発明のエレベータ制御装置の組立作業台は、上下方向の寸法が大きい制御ユニットを水平支軸の回りに揺動自在に支持するとともに、所定の揺動角度で固定できるようにしたものである。
これにより、制御ユニットのうち上下方向の上部に制御用品を組み付ける際には、制御ユニットを立てた状態に固定することができるから、作業者は作業床上に起立した状態で組み付け作業を行うことができる。
また、制御ユニットのうち上下方向の中央部に制御用品を組み付ける際には、制御ユニットを約４５度に傾斜させた状態に固定することができるから、作業者は中腰の姿勢を取ることなく組み付け作業を行うことができる。
さらに、制御ユニットのうち上下方向の下部に制御用品を組み付ける際には、制御ユニットを水平な状態に固定することができるから、作業者はしゃがみ込むことなく、楽な姿勢で組み付け作業を行うことができる。
【発明の効果】
【００１０】
本発明によれば、上下方向に長い制御ユニットを組み立てる際の作業者の肉体的な負担を軽減できるエレベータ制御装置の組立作業台を提供することができる。
【図面の簡単な説明】
【００１１】
【図１】ユニット支持枠を立てた状態の枠体を示す斜視図。
【図２】ユニット支持枠を４５度に傾斜させた状態の枠体を示す斜視図。
【図３】ユニット支持枠を水平に寝かせた状態で示す枠体の斜視図。
【図４】ユニット支持体を立てた状態で示す作業台の斜視図。
【図５】ユニット支持体を４５度に傾斜させた状態で示す作業台の斜視図。
【図６】ユニット支持体を水平に寝かせた状態で示す作業台の斜視図。
【図７】制御ユニットを立てた状態での作業を示す側面図。
【図８】制御ユニットを４５度に傾斜させた状態での作業を示す側面図。
【図９】制御ユニットを水平に寝かせた状態での作業を示す側面図。
【図１０】変形例の作業台の展開状態を示す斜視図。
【図１１】変形例の作業台格納状態で示す斜視図。
【発明を実施するための形態】
【００１２】
以下、図１〜図１１を参照し、本発明のエレベータ制御装置の組立作業台の一実施形態および変形例について詳細に説明する。なお、以下の説明においては、同一の部分に同一の符号を用いて重複した説明を省略する。
【００１３】
まず最初に図１〜図３を参照し、本実施形態の作業台１００を構成する枠体について説明する。
この枠体は、作業床上に設置される本体枠（本体部分）１０と、制御ユニットを揺動自在に支持する揺動枠（支持手段）２０と、この揺動枠２０を所定の揺動位置に固定するための長短２組の固定腕（固定手段）３１，３２とを有しており、いずれも市販されている硬質樹脂製のパイプや継手等を組み合わせたものとなっている。
【００１４】
本体枠１０は、パイプと継手を「口字形」にかつ上下２段に組み合わせたもので、その四隅の下方には車輪１１がそれぞれ取り付けられている。
また、その前後方向の中央部には左右一対の支持腕１２，１２がそれぞれ立設されるとともに、これらの支持腕１２，１２の上端には左右方向に延びる水平支軸１３が掛け渡されている。
【００１５】
揺動枠２０は、後述するユニット支持体４０を取り付けるためのもので、パイプと継手を「日字形」に組み合わせるとともに、その中央で左右方向に延びるパイプ２１は、左右一対の継手２２，２２によって水平支軸１３に相対回動自在に取り付けられている。
さらに、この揺動枠２０の手前側の部分には、２組の係合突部２３，２４がそれぞれ左右方向の外側に突出するように固定されている。
【００１６】
固定腕３１，３２は、パイプおよび継手を組み合わせて製造したもので、その基端はそれぞれ本体枠１０に揺動自在に取り付けられるとともに、その揺動端には係合突部２３，２４と係脱自在に嵌合する継手３１ａ，３２ａがそれぞれ取り付けられている。
このとき、図１に示したように揺動枠２０を作業床に対して垂直に立てた状態では、２組の固定腕３１，３２は、本体枠１０に対して倒れた状態にある。
そして、揺動枠２０は、図示されない継手によって支持腕１２，１２に接続されて固定されている。
【００１７】
これに対して、図２に示したように、揺動枠２０が約４５度の角度で傾斜した状態では、短い方の固定腕３２，３２が起立して、その揺動端に取り付けられている継手３２ａ，３２ａが、揺動枠２０の一方の係合突部２４，２４にそれぞれ嵌合し、揺動枠２０を傾斜状態に固定している。
【００１８】
また、図３に示したように、揺動枠２０が水平な状態では、長い方の固定腕３１，３１が起立して、その揺動端に取り付けられている継手３１ａ，３１ａが、揺動枠２０の一方の係合突部２３，２３にそれぞれ嵌合し、揺動枠２０を水平状態に固定している。
【００１９】
一方、揺動枠２０に取り付けるユニット支持体４０は、厚みのあるアルミ板であり、様々な大きさ及び形状の制御ユニット５０を固定するためのボスを、所望のネジ穴（図示せず）に螺着できるようになっている。
そして、このユニット支持体４０は、揺動枠２０に取り付けることにより、図４〜図６に示したように、ユニット支持体４０を垂直に立てた状態、約４５度に傾斜させた状態、水平に寝かせた状態に固定することができる。
【００２０】
次に、図７〜図９を参照し、本実施形態の作業台１００を用いて制御ユニット５０を組み立てる作業の手順について説明する。
【００２１】
制御ユニット５０を組み立てる際には、まず最初に、ユニット支持体４０の表面の所定の位置に螺着した複数のボスＢによって制御ユニット５０の本体部分を固定する。
次いで、上下方向に長い制御ユニット５０のうち、上側の部分に制御用品５１を取り付ける際には、揺動枠２０したがってユニット支持体４０および制御ユニット５０を作業床に対して垂直に立てた状態とする。
これにより、作業者Ｗは、作業床上に起立した状態で制御ユニット５０の高い位置に制御用品５１を取り付けることができる。
【００２２】
これに対して、制御ユニット５０の上下方向の中央部に制御用品５２を取り付ける際には、図８に示したように、揺動枠２０したがってユニット支持体４０および制御ユニット５０を作業床に対して約４５度傾斜させた状態とする。
すると、制御ユニット５０のうち、制御用品５２を取り付ける部分は、斜め上方を向いて作業者Ｗに対向する。
これにより、作業者Ｗは、制御ユニット５０の上下方向の中央部に制御用品５２を取り付ける作業を、中腰となることなく楽に起立した作業姿勢で行うことができる。
【００２３】
さらに、制御ユニット５０のうち上下方向の下側の部分に制御用品５３を取り付ける際には、図９に示したように、揺動枠２０したがってユニット支持体４０および制御ユニット５０を作業床に対して水平に寝かせた状態とする。
すると、制御ユニット５０のうち、制御用品５３を取り付ける部分は、上方を向きつつ、作業者の腰の高さとほぼ同じ高さに位置することになる。
これにより、作業者Ｗは、制御ユニット５０の下側の部分に制御用品５３を取り付ける作業を、作業床上にしゃがみ込むことなく、楽に起立した作業姿勢で行うことができる。
【００２４】
すなわち、本実施形態の左右一対の作業台１００は、上下方向の寸法が大きい制御ユニット５０を水平支軸１３の回りに揺動自在に支持するとともに、所定の揺動角度で固定できるようにしたものである。
これにより、制御ユニット５０のうち制御用品５１，５２，５３を取り付ける上下方向の位置に合わせて制御ユニット５０の揺動角度を変更することができる。
したがって、作業者Ｗは、中腰となったりしゃがみ込んだりすることなく、作業床上に起立した楽な作業姿勢で組み付け作業を行うことができるから、その肉体的な負担を大幅に軽減することができる。
【００２５】
また、本実施形態の作業台１００は、市販されている硬質のパイプ材や継手を組み合わせて製造するものであるから、制御ユニット５０の大きさに合わせて、様々な大きさの物を自在にかつ安価に製造することができる。
【００２６】
さらに、本体枠１０の４隅の下方に車輪１１をそれぞれ取り付けた構造であるから、制御用品５１，５２，５３の組付が完了した制御ユニット５０を、次の作業工程へと自在に搬送することができる。
【００２７】
変形例
他方、図１０および図１１に示したように、部品や工具を載置するための棚６０を本体枠１０に並設することにより、制御ユニット５０に制御用品５１，５２，５３を組み付ける作業をより一層容易に行うことができる。
特に、棚６０のうちの１つの柱６１を、本体枠１０のいずれか一方の支持腕１２に相対回動自在に接続することにより、図１０に示した展開状態と図１１に示した収納状態とを容易に切り換えることができる。
なお、この棚６０もまた、市販されている硬質のパイプ材や継手を組み合わせて製造できることは言うまでもない。
【００２８】
以上、本発明のエレベータ制御装置の組立作業台の一実施形態および変形例について詳しく説明したが、本発明は上述した実施形態によって限定されるものではなく、種々の変更が可能であることは言うまでもない。
例えば、上述した実施形態においては、本体枠１０に接続した二組の固定腕３１，３２によって制御ユニット５０を所定の揺動角度に固定しているが、伸縮自在な固定腕を１組用いる構造に変更することもできる。
さらに、制御ユニット５０の重量が嵩む場合には、ジャッキを用いてその揺動角度を変更することもできる。
加えて、ユニット支持体４０の表面に左右方向および前後方向に延びる溝を凹設するとともに、この溝の内部でボスＢを移動させる構造とすることもできる。
【符号の説明】
【００２９】
１０  本体枠
１１  車輪
１２  支持腕
１３  水平支軸
２０  揺動枠
２１  中央パイプ
２２  継手
２３，２４  係合突部
３１，３２  固定腕
３１ａ，３２ａ  継手
４０  ユニット支持体
５０  制御ユニット
５１，５２，５３  制御用品
６０  棚
１００  一実施形態の組立作業台
【図１】
2011148612.tif 000003
【図２】
2011148612.tif 000004
【図３】
2011148612.tif 000005
【図４】
2011148612.tif 000006
【図５】
2011148612.tif 000007
【図６】
2011148612.tif 000008
【図７】
2011148612.tif 000009
【図８】
2011148612.tif 000010
【図９】
2011148612.tif 000011
【図１０】
2011148612.tif 000012
【図１１】
2011148612.tif 000013